(57)【要約】【課題】  本体と分離後再接続する際などに、露出、ホワイトバランス、ＩＳＯ感度などのカメラヘッドの設定が容易となる。【解決手段】  前回の撮影操作時に操作者により設定されたカメラヘッド部の設定情報をカメラヘッド部のメモリに記憶しておき、カメラヘッド部が本体部に接続されたことに応じて（Ｓ６０１）、メモリから設定情報を読み出し（Ｓ６０６）、読み出した設定情報を使用してカメラヘッド部の設定を実行する（Ｓ６０７）。【選択図】  図６
2005236773.tif 000002
【特許請求の範囲】
【請求項１】
光学系を使用して撮像信号を得るカメラヘッド部と、前記撮像信号を取得して処理する本体部とが分離可能なヘッド分離型撮像装置であって、
前記カメラヘッド部に内蔵され、撮影操作時に操作者により設定された前記カメラヘッド部の設定情報を記憶する記憶手段と、
カメラヘッド部が前記本体部に接続されたことに応じて、前記記憶手段から前記設定情報を読み出す読み出し手段と、
前記読み出した設定情報を使用して前記カメラヘッド部の設定を実行する設定手段とを有することを特徴とするヘッド分離型撮像装置。
【請求項２】
前記カメラヘッド部が前記本体部に接続された際に、操作者の指示入力に応じて前記設定情報を使用するか否かを選択する第１の選択手段をさらに有し、
前記読み出し手段は、前記第１の選択手段により前記設定情報を使用しないことを選択された場合、前記本体部に記憶されている初期設定情報を読み出し、前記設定手段は、前記読み出された初期設定情報を使用して前記カメラヘッドの設定を実行することを特徴とする請求項１に記載のヘッド分離型撮像装置。
【請求項３】
前記カメラヘッド部が前記本体部に接続された際に、前記記憶手段に前記設定情報が記憶されていなかった場合、前記読み出し手段は、本体部に記憶された前記カメラヘッドの設定情報を読み出し、前記設定手段は、前記読み出した設定情報を使用して前記カメラヘッドの設定を実行することを特徴とする請求項１に記載のヘッド分離型撮像装置。
【請求項４】
前記読み出し手段は、前記本体部に操作者による設定情報が記憶されていれば、操作者による設定情報を初期設定情報よりも優先して読み出すことを特徴とする請求項３に記載のヘッド分離型撮像装置。
【請求項５】
接続された本体部の種別に応じて、前記撮像信号の出力フォーマットの変更を行う変更手段をさらに有することを特徴とする請求項１に記載のヘッド分離型撮像装置。
【請求項６】
前記設定情報は、前記カメラヘッド部における、露出、ホワイトバランス、ＩＳＯ感度の少なくとも１つの設定情報を含むことを特徴とする請求項１〜５のいずれかに記載のヘッド分離型撮像装置。
【請求項７】
光学系を使用して撮像信号を得ることが可能であり、前記撮像信号を取得して処理する本体部と分離可能なカメラヘッド部の撮像情報設定方法であって、
撮影操作時に操作者により設定された前記カメラヘッド部の設定情報を前記カメラヘッド部の記憶手段に記憶しておき、カメラヘッド部が前記本体部に接続されたことに応じて、前記記憶手段から前記設定情報を読み出し、前記読み出した設定情報を使用して前記カメラヘッド部の設定を実行することを特徴とするカメラヘッド部の撮像情報設定方法。
【発明の詳細な説明】
【技術分野】
【０００１】
本発明は、パソコンなどで使用される動画像もしくは静止画像を撮影するヘッド分離型撮像装置及び撮像情報設定方法に関するものである。
【背景技術】
【０００２】
従来より、撮像素子部（以下ＣＣＤと記す）、ＣＣＤ制御部、ＣＣＤ信号処理部、モータ駆動制御部などで構成されたカメラヘッド部とストレージ手段であるＣＦカードに画像の保存やＬＣＤの表示、ＮＴＳＣやＥｔｈｅｒｎｅｔ（登録商標）などに画像データを出力するなどを行うカメラコントロール部（以下、本体部と記す）がコネクタもしくはケーブルによって接続されている撮像装置が提案されている（例えば、特許文献１、２等参照）。
【０００３】
図４は、従来のヘッド分離型撮像装置を説明するブロック図である。４０１はレンズ群で、固定焦点のレンズ群もしくは所定倍率のズームレンズ群で構成される。４０２はＣＣＤに代表される撮像素子で、画素数は解像度に依存して決定されるものとする。４０３はＣＣＤコントロール部で、ＣＣＤ４０２に転送クロックおよびシャッタ信号を供給するタイミングジェネレータ（ＴＧ回路）とともに、ＣＣＤ４０２からの画像信号にノイズ除去およびゲイン調整処理を行うＣＤＳ／ＡＧＣ回路、およびアナログ画像信号を１２ｂｉｔデジタル信号に変換するＡ／Ｄコンバータなどを具備する。このＣＣＤコントロール部４０３からは１秒間に３０画面（フレーム）の画像データが、常に出力される。上記ＣＤＳ／ＡＧＣ回路及びＴＧ回路は、デジタルカメラ機能ＩＣ４０４から出力される同期シリアル通信によって制御されるものがほとんどである。４１１はレンズ群４０１のフォーカス制御やズーム制御を行うレンズ駆動モータ部である。
【０００４】
４０４はデジタルカメラ機能ＩＣで、ＣＣＤコントロール部４０３からの画像データに、ホワイトバランス調整およびシャッタスピードおよび絞り制御等の画像処理を行い、Ｙ・Ｃｂ・Ｃｒフォーマットのデジタル信号に変換して出力する。デジタルカメラ機能ＩＣ４０４には、上記処理を行うために必要となるワークエリア用のメモリであるワークメモリ４０５と、ストレージ手段であるＣＦカード４０７と、シャッタＳＷやモード切り替えＳＷ等のキーＳＷ群４０６が接続している。また、多くの場合、デジタルカメラ機能ＩＣ４０４の表示のための出力はＮＴＳＣであり、その信号を表示する手段であるＮＴＳＣディスプレイ４０９に出力するためにＮＴＳＣ出力ＩＣ４０８が接続されている。４１０は、デジタルカメラ機能ＩＣ４０４のプログラムが格納されているＦｌａｓｈメモリやマスクメモリ等からなるプログラムメモリである。
【０００５】
次に、デジタルカメラ機能ＩＣの表示信号の出力について説明する。キーＳＷ群４０６内のシャッタＳＷを押下せず、ＮＴＳＣ表示部４０９上に画像を表示するだけのモード（通常、ファインダーモードと呼ばれる）における内部動作について説明する。静止画撮影モードもしくは動画撮影モードにおいて、デジタルカメラ機能ＩＣ４０４がＣＣＤコントロール部４０３に対し、ファインダ動作を設定する為のデータを同期シリアル通信で出力する。上記データを受けたＣＣＤコントロール部４０３はＣＣＤ４０２に対し、ファインダーモードに対応した各種制御クロックを出力する。この状態において、カメラレンズ４０１から取り込まれた被写体の光情報は、デジタルカメラ機能ＩＣ４０４からタイミングジェネレータ（ＴＧ）を通して出力される各種制御クロックで、ＣＣＤ４０２によって電気信号に変換される。ＣＣＤ４０２から出力される電気信号はＣＤＳ／ＡＧＣ＆ＡＤを通して、デジタル信号に変換され、デジタルカメラ機能ＩＣ４０４に入力される。
【０００６】
デジタルカメラ機能ＩＣ４０４の内部では、入力された画像のデジタル信号から、ＡＥ・ＡＦ・ＡＷＢ等のパラメータを演算し、新しいパラメータをＣＣＤコントロール部４０３に送り返す。デジタルカメラ機能ＩＣ４０４は、そのパラメータ設定により画像を加工し、表示するために必要な画素サイズに縮小した画像データを出力する。この画像データは、デジタル出力を備えたデジタルカメラ機能ＩＣにおいて通常１ドットあたり１３．５ＭＨｚ、一画面約６４０×４８０ドットで秒３０フレーム、データの形式はＹＣｂＣｒの４：２：２で出力される。しかしながら通常のデジタルカメラにおける表示手段は、ＮＴＳＣ方式が主流であるため、ほとんどのデジタルカメラ機能ＩＣはデジタル出力だけでなく、ＮＴＳＣ信号で画像データを表示できるように構成されている。ＮＴＳＣ信号の場合、本来ならば一画面約７２０×４８０で秒３０フレームの画像を、ＥＶＥＮフレームとＯＤＤフレームに分けて約７２０×２４０ドットで秒６０フレームとして出力する。ＮＴＳＣ出力ＩＣ４０８は、このＮＴＳＣ信号を入力しＮＴＳＣ表示部４０９上に、画像を表示することができる。
【０００７】
以上のように、従来のヘッド分離型撮像装置は、４０１〜４０３及び４１１で構成されている破線で囲まれたカメラヘッド部４１２と、４０４〜４１０で構成された本体部４１３をコネクタもしくはケーブルで接続し構成されている。この場合、ＣＣＤコントロール部４０３とデジタルカメラ機能ＩＣ４０４の間の信号線は、ＣＣＤコントロール部４０３を制御する同期シリアル通信用の信号と、ＣＣＤコントロール部からパラレル出力される画像データになり、そのほかでは、デジタルカメラ機能ＩＣ４０４からレンズ駆動モータ部４１１を制御する信号が出力される。
【特許文献１】特開平０８−１８８３９号公報
【特許文献２】特開平０７−７４７７５号公報
【発明の開示】
【発明が解決しようとする課題】
【０００８】
しかしながら、上記従来のヘッド分離型撮像装置のように、カメラヘッドのＣＣＤコントロール部と本体部のデジタルカメラ機能ＩＣ部との間で分離すると、ユーザーが行った露出、ホワイトバランス，ＩＳＯ感度などのカメラヘッドに関する設定を、カメラヘッド自身で保持することができないために、１度着脱すると初期設定を行う必要があり、ユーザーが以前に記憶させたモードでそのまま撮影することができないという問題点を抱えていた。また、上記で説明したような初期設定が必要だったために、接続するカメラヘッドが複数台存在した場合には、用途によってカメラヘッドを使い分けるといったことができないという問題点を抱えていた。
【０００９】
本発明は上述した問題点を解決するためのものであり、本体と分離後再接続する際などに、カメラヘッドの設定が容易であるヘッド分離型撮像装置及び撮像情報設定方法を提供することを目的とする。
【課題を解決するための手段】
【００１０】
上記目的を達成するために、本発明のヘッド分離型撮像装置は、光学系を使用して撮像信号を得るカメラヘッド部と、前記撮像信号を取得して処理する本体部とが分離可能なヘッド分離型撮像装置であって、前記カメラヘッド部に内蔵され、撮影操作時に操作者により設定された前記カメラヘッド部の設定情報を記憶する記憶手段と、カメラヘッド部が前記本体部に接続されたことに応じて、前記記憶手段から前記設定情報を読み出す読み出し手段と、前記読み出した設定情報を使用して前記カメラヘッド部の設定を実行する設定手段とを有することを特徴とする。
【００１１】
また、本発明の撮像情報設定方法は、光学系を使用して撮像信号を得ることが可能であり、前記撮像信号を取得して処理する本体部と分離可能なカメラヘッド部の撮像情報設定方法であって、撮影操作時に操作者により設定された前記カメラヘッド部の設定情報を前記カメラヘッド部の記憶手段に記憶しておき、カメラヘッド部が前記本体部に接続されたことに応じて、前記記憶手段から前記設定情報を読み出し、前記読み出した設定情報を使用して前記カメラヘッド部の設定を実行することを特徴とする。
【発明の効果】
【００１２】
本発明によれば、本体と分離後再接続する際などに、露出、ホワイトバランス、ＩＳＯ感度などのカメラヘッドの設定が容易となる。また、用途に応じたカメラヘッドの使い分けも容易となる。
【発明を実施するための最良の形態】
【００１３】
以下、本発明の目的を実現させるためのヘッド分離型撮像装置の基本構成図と実施形態を図示した図面を用い詳細に説明する。
【００１４】
（実施の形態１）
図１は本発明に係るヘッド分離型撮像装置の機能を実現するためのカメラヘッドの概略をブロックで示した基本構成図であり、図２〜３は本発明に係るヘッド分離型撮像装置の機能を実現させた場合の実施例の図である。実際の動作原理を説明する前に図１の各モジュールについて説明する。
【００１５】
図１において１００は、本発明に係るヘッド分離型撮像装置の機能を実現させるカメラヘッド部である。１０１は、ＣＣＤ１０２に画像を入力するレンズ群である。１０２は、レンズ群１０１から入力される画像を電気信号に変換するＣＣＤである。１０３は、ＣＣＤ１０２から出力されるアナログ信号を調整し、デジタル信号に変換するＣＤＳ／ＡＧＣ＆ＡＤ及びＣＣＤ１０２を駆動するためのタイミング信号を出力するタイミングジェネレータからなるＣＣＤコントロール部である。１０４は、ＣＣＤコントロール部を、同期シリアル通信によって制御し、ＣＣＤコントロール部１０３から出力されるデジタル信号を画像データとして生成したり、露出やホワイトバランスをコントロールしたり、ファインダ画像の出力や本体のＣＰＵから出力される制御信号により、撮影画像のＪＰＥＧファイルを生成するデジタルカメラ機能ＩＣである。１０５は、デジタルカメラ機能ＩＣ１０４に接続され、ＪＰＥＧ展開や画像サイズ変換等に使われるワークメモリとして使用される、主にＳＤＲＡＭやＳＲＡＭが使用されるカメラ用ワークメモリである。１０６は、デジタルカメラ機能ＩＣ１０４の制御プログラムが格納されているＦｌａｓｈメモリやマスクメモリからなるプログラムメモリである。１０７は、カメラヘッド部１００と本体部を接続する為のコネクタである。１０８は、デジタルカメラ機能ＩＣ１０４から出力される、ファインダデータを出力するファインダ出力専用バスである。１０９は、デジタルカメラ機能ＩＣ１０４と本体のＣＰＵが、相互にファイルデータの送受信を行う、カメラ側ファイル転送専用バスである。１１０は、本体のＣＰＵが、カメラヘッドに各種情報の送信を行うためのカメラ側本体情報受信専用バスと、デジタルカメラ機能ＩＣ１０４が、ＣＰＵに各種情報の送信を行うためのカメラヘッド情報送信専用バスである。１１２は、カメラヘッドが本体より切断される事をデジタルカメラ機能ＩＣに知らせるリリーススイッチである。
【００１６】
次に図２を用い、本発明をデジタルカメラとして実施した場合について説明する。２００は、本発明のヘッド分離型撮像装置の機能をデジタルカメラとして使用する場合におけるカメラヘッドと分離されたデジタルカメラ本体部である。２０１は、キーＳＷ２０６からの入力に基づき当該機器をコントロールし、デジタルカメラ機能ＩＣ１０４の制御や、ＴＦＴ液晶表示部２０５への表示データをコントロールし、また、デジタルカメラ機能ＩＣ１０４から出力されるＪＰＥＧ画像をストレージ手段であるＣＦカード２０７に保存するＣＰＵである。ワークメモリ２０２は、メモリバスで接続され、ＣＰＵ２０１の画像展開エリアやワークエリアとして使用される、ＳＲＡＭやＳＤＲＡＭ等からなるワークメモリである。２０３は、メモリバスで接続され、当該機器をコントロールする制御プログラムやフォントデータを格納する、フラッシュメモリやマスクＲＯＭ等からなるプログラムメモリである。２０４は、ＣＰＵ２０１から出力されるＲＧＢ信号と同期信号を入力し、ＴＦＴ液晶表示部２０５に画像を表示するための信号を生成・出力する液晶表示制御回路である。２０５は、ＶＧＡサイズのＴＦＴ方式の液晶ディスプレイである。２０６は、シャッタ−ＳＷやモードＳＷなどの各種制御用のＳＷを検出する、キーＳＷである。２０７は、ＣＰＵ２０１と専用バスを経由しコネクタで接続される、ＣＦカード又はＳＤカードに代表されるストレージデバイスである。２０８は、リチウムイオン電池や単３乾電池などの各種電池やＡＣアダプタが接続され、デジタルカメラ本体部２００及びカメラヘッド部１００の各デバイスに電源を供給する為の電源部である。本実施例では、カメラヘッド部を制御するデジタルカメラ本体部のみに電源部２０８を持ち、カメラヘッド部１００へは本体側コネクタ２０９及びカメラ側コネクタ１０７を通して、電源を供給する方式について説明している。２０９は、カメラヘッド部１００とデジタルカメラ本体部２００を接続する為の、デジタルカメラ本体部２００側の本体側コネクタである。２１０は、デジタルカメラ機能ＩＣ１０４から出力されるファインダデータを、カメラ側コネクタ１０７及び本体側コネクタ２０９を経由してＣＰＵ２０１に入力する為のファインダ入力専用バスである。２１１は、デジタルカメラ機能ＩＣ１０４とＣＰＵ２０１が、相互にファイルデータの送受信を行う、本体側ファイル転送専用バスである。２１２は、ＣＰＵ２０１が、カメラヘッドに各種情報の送信を行うための本体側本体情報送信専用バスと、デジタルカメラ機能ＩＣ１０４から出力される各種情報の受信を行う本体側カメラヘッド情報受信専用バスである。
【００１７】
次に、図５に示す本発明に係るヘッド分離型撮像装置のカメラヘッド設定保存方法の流れを示したフローチャートを用い、動作原理について説明する。
【００１８】
図２のカメラヘッド部１００がデジタルカメラ本体部２００と接続され、デジタルカメラ本体部２００から電源が供給されてカメラヘッド部１００がファインダーモードとして動作している状態において、リリースＳＷ１１２がＯＮになると（Ｓ５０１）、カメラ機能ＩＣ１０４はリリースＳＷのＯＮを検知する（Ｓ５０２）。
【００１９】
デジタルカメラ機能ＩＣ１０４はユーザーが行った露出、ホワイトバランス，ＩＳＯ感度などのカメラヘッドに関する設定値を読み出し（Ｓ５０３）、プログラムメモリ１０６に上記の設定値を書き込む（Ｓ５０４）。
【００２０】
プログラムメモリ１０６に各情報を記憶した後、デジタルカメラ機能ＩＣ１０４は、ＣＰＵ２０１にカメラヘッド情報送信専用バス１１０を経由し設定保存終了のコマンドを送信する（Ｓ５０５）。
【００２１】
コマンドを受信したＣＰＵ２０１はカメラヘッドの電源をＯＦＦにし（Ｓ５０６）、ユーザーに対し、カメラヘッド１００を切断しても問題ない旨の表示を、表示制御回路２０４を介しＴＦＴ液晶表示部２０５に表示する（５０７）。
【００２２】
次に、図６に示す本発明に係るヘッド分離型撮像装置のカメラヘッド設定読み出し方法の流れを示したフローチャートを用い、カメラヘッドに保存された設定を読み出す動作原理について説明する。
【００２３】
まず、デジタルカメラ本体部２００とカメラヘッド部１００が接続されたことを検知すると（Ｓ６０１）、ＣＰＵ２０１はカメラヘッド部１００に電源を供給する（Ｓ６０２）。
【００２４】
電源が供給されたカメラヘッド部１００は、デジタルカメラ本体部２００に対応する通信設定などを行った後（Ｓ６０３）、デジタルカメラ機能ＩＣ１０４は、ＣＰＵ２０１に対し、カメラヘッド部１００に、前回ユーザーが行った、露出、ホワイトバランス，ＩＳＯ感度などのカメラヘッドに関する設定がカメラヘッド部に記憶されているというコマンドを、カメラ側本体情報送信専用バス１１０を経由し、ＣＰＵ２０１に送信する（Ｓ６０４）。
【００２５】
コマンドを受信したＣＰＵ２０１は、ＴＦＴ液晶表示部２０５にて、デジタルカメラ本体部２００のプログラムメモリ２０３に記憶されている工場出荷用初期設定か、カメラヘッド部１００のプログラムメモリ１０６に記録されている設定情報を利用するのかをユーザーに判断を求める（Ｓ６０５）。
【００２６】
この時点で、カメラヘッド部に記録されている設定を選択した場合は，デジタルカメラ機能ＩＣ１０４がプログラムメモリ１０６から設定情報を読み出し（Ｓ６０６）、プログラムメモリに記憶されている設定情報に基づき、露出、ホワイトバランス，ＩＳＯ感度などのユーザー設定を反映する（Ｓ６０７）。
【００２７】
もし、本体に記録されている初期設定情報を選んだ場合は、通常の工場出荷用初期設定を実行することで、カメラヘッド設定の読み出しが可能となる（Ｓ６０８）。
【００２８】
（実施の形態２）
実施の形態１では、カメラヘッドをデジタルカメラ本体部と接続し、カメラヘッド部のプログラムメモリ１０６にユーザーが行った、露出、ホワイトバランス，ＩＳＯ感度などのカメラヘッドに関する設定を保存し、デジタルカメラ本体部で設定を読み出す方法について記述した。実施の形態２では、図２を用いてカメラヘッド及び本体の両方にカメラヘッドの設定が保存可能な場合の動作原理についての説明と、本体とカメラヘッドの両方にカメラヘッドの設定が保存されている場合での優先順位を設けた読み出し方について説明する。
【００２９】
図７は、実施の形態２に係るヘッド分離型撮像装置のカメラヘッド設定保存方法の流れを示したフローチャートである。このフローチャートを用い、動作原理について説明する。
【００３０】
図２のカメラヘッド部１００がデジタルカメラ本体部２００と接続され、デジタルカメラ本体部２００から電源が供給されてカメラヘッド部１００がファインダーモードとして動作している状態において、リリースＳＷ１１２がＯＮになると（Ｓ７０１）、デジタルカメラ機能ＩＣ１０４はリリースＳＷのＯＮを検知する（Ｓ７０２）。
【００３１】
デジタルカメラ機能ＩＣ１０４はユーザーが行った、露出、ホワイトバランス，ＩＳＯ感度などのカメラヘッドに関する設定値を読み出す（Ｓ７０３）。読み出しが完了するとデジタルカメラ機能ＩＣ１０４はＣＰＵ２０１に読み出しが終了したことを、カメラヘッド情報送信専用バス１１０を用い、読み出し終了コマンドを送信する（Ｓ７０４）。
【００３２】
コマンドを受信したＣＰＵ２０１は、ＴＦＴ液晶表示部２０５にて、デジタルカメラ本体部２００のプログラムメモリ２０３に記録するか、カメラヘッド部１００のプログラムメモリ１０６に記録するかをユーザーに判断を求める（Ｓ７０５）。ユーザーがカメラヘッドを選択すると、プログラムメモリ１０６にユーザーが行った、露出、ホワイトバランス，ＩＳＯ感度などのカメラヘッドに関する設定値を書き込む（Ｓ７０６）。
【００３３】
プログラムメモリ１０６に各情報を記録した後、デジタルカメラ機能ＩＣ１０４は、ＣＰＵ２０１にカメラヘッド情報送信専用バス１１０を経由し、ＣＰＵ２０１に設定保存終了のコマンドを送信する（Ｓ７０７）。
【００３４】
コマンドを受信したＣＰＵ２０１はカメラヘッドの電源をＯＦＦにし（Ｓ７０８）、ユーザーに対し、カメラヘッド１００を切断しても問題ない旨の表示を、表示制御回路２０４を介しＴＦＴ液晶表示部２０５に表示する（Ｓ７０９）。
【００３５】
一方で、カメラヘッドの設定値を保存する場所にデジタルカメラ本体部を選んだ場合、デジタルカメラ機能ＩＣ１０４は、カメラヘッド情報送信専用バス１１０を経由し、ユーザーが行った、露出、ホワイトバランス，ＩＳＯ感度などのカメラヘッドに関する情報をＣＰＵ２０１に送信する（Ｓ７１０）。
【００３６】
ＣＰＵ２０１は送られてきたカメラヘッドの情報をプログラムメモリ２０３に保存を行う（７１１）。プログラムメモリの保存が終了すると、デジタルカメラ本体部２００のＣＰＵ２０１は、カメラヘッドの電源をＯＦＦにし（Ｓ７１２）、ユーザーに対し、カメラヘッド１００を切断しても問題ない旨の表示を、表示制御回路２０４を介しＴＦＴ液晶表示部２０５に表示する（Ｓ７１３）。
【００３７】
次に、図８に示す本発明に係るヘッド分離型撮像装置のカメラヘッド設定読み出し方法の流れを示したフローチャートを用い、カメラヘッドと本体の両方に保存された設定に対して、優先順位を設けて読み出す動作原理について説明する。
【００３８】
デジタルカメラ本体部２００とカメラヘッド部１００が接続されたことが検知されると（Ｓ８０１）、ＣＰＵ２０１はカメラヘッド部１００に電源を供給する（Ｓ８０２）。
【００３９】
電源が供給されたカメラヘッド部１００は、デジタルカメラ本体部２００に対応する通信設定を行う（Ｓ８０３）。ＣＰＵ２０１はカメラヘッドのプログラムメモリ１０６にカメラヘッドに関する露出、ホワイトバランス，ＩＳＯ感度などの設定が記憶されているかを確認する（Ｓ８０４）。カメラヘッドに設定が保存されている場合は、カメラヘッドのプログラムメモリ１０６から露出、ホワイトバランス，ＩＳＯ感度などの情報を読み込み（Ｓ８０５）、ユーザー設定を実行する（Ｓ８０６）。
【００４０】
もし、カメラヘッド自身に設定値が保存されて無い場合は、デジタルカメラ本体部のプログラムメモリ２０３に設定値が保存されているかどうか判断を行う（Ｓ８０７）。
【００４１】
プログラムメモリ２０３に設定が保存されている場合は、プログラムメモリ２０３から露出、ホワイトバランス，ＩＳＯ感度などの情報を読み込み（Ｓ８０８）、ユーザー設定を実行する（Ｓ８０９）。もし、本体部のプログラムメモリにカメラヘッドの設定情報が組み込まれていない場合は、通常の工場出荷用初期設定を行う（８１０）。
【００４２】
（実施の形態３）
実施の形態１及び実施の形態２では、カメラヘッドのユーザー設定をデジタルカメラ本体部に接続して、保存する方法もしくは読み出す方法を説明してきたが、本発明のカメラヘッドの設定保存方法は、カメラヘッドに接続する本体にバリエーションを持たせた場合にも対応でき、本体情報を得ることによって画質設定はカメラヘッドのプログラムメモリから読み出し、表示解像度などの表示内容は本体にあわせて表示させることが出来る。実施の形態３は、カメラヘッドに監視カメラ用の本体を接続し、カメラヘッドの保存内容を読み出し、本体の解像度に合わせる方法を説明する。
【００４３】
図３について説明する。図３に示す１００は、デジタルカメラ本体部２００と接続され、ユーザーが行った露出、ホワイトバランス，ＩＳＯ感度などのカメラヘッドに関する設定値が記憶されているカメラヘッドである。３００は本発明のカメラヘッドの機能を監視カメラとして使用する場合におけるカメラヘッド部と分離された監視カメラ本体部である。
【００４４】
３０１は、ＬＡＮコントローラ３０４、ＲＳ２３２Ｃドライバ３０５、リモートコントローラ３０６を通して各メディアから送信される制御コマンドに基づき当該機器をコントロールし、デジタルカメラ機能ＩＣ１０４の制御を行い、カメラヘッド１００をコントロールするＣＰＵである。３０２は、メモリバスで接続され、ＣＰＵ３０１の画像展開エリアやワークエリアとして使用される、ＳＲＡＭやＳＤＲＡＭ等からなるワークメモリである。３０３はメモリバスで接続され、当該機器をコントロールする制御プログラムを格納する、フラッシュメモリやマスクＲＯＭ等からなるプログラムメモリである。３０４は複数のコンピュータを通信ケーブルでつないで使用されている構内情報通信網から当該監視カメラをコントロールするために接続されているＬＡＮコントローラである。３０５は、直接パソコンなどから当該監視カメラをコントロールするために必要なＲＳ２３２Ｃコントローラである。３０６は赤外線などを用いテレビ等で利用されているリモートコントローラを用いて当該監視カメラをコントロールするために必要な赤外受光素子である。３０７は、リチウムイオン電池や単３乾電池などの各種電池やＡＣアダプタが接続され、監視カメラ本体部３００及びカメラヘッド部１００の各デバイスに電源を供給する為の電源部である。３０８は、カメラヘッド部１００と監視カメラ本体部３００を接続する為の、監視カメラ本体部３００側の本体側コネクタである。３０９は、デジタルカメラ機能ＩＣ１０４から出力されるファインダデータを、カメラ側コネクタ１０７及び監視カメラ本体側コネクタ３０８を経由してデジタルビデオエンコーダ３１１に入力する為のファインダ入力専用バスである。３１０は、本体のＣＰＵが、カメラヘッドに各種情報の送信を行う本体側本体情報送信専用バスと、デジタルカメラ機能ＩＣ１０４から出力される各種情報の受信を行う本体側カメラヘッド情報受信専用バスである。３１１は、デジタル映像信号（ＲＧＢ信号／ＹＣｂＣｒ信号）をＮＴＳＣ方式のコンポジットビデオ信号に変換するビデオエンコーダＩＣで、３１２はビデオエンコーダＩＣから出力されるＮＴＳＣ信号を表示するＮＴＳＣディスプレイである。
【００４５】
次に、図９に示す本発明に係るヘッド分離型撮像装置において別な本体に接続した場合のカメラヘッド設定読み出し方法の流れを示したフローチャートを用い、カメラヘッドに関する設定値が保存されているカメラヘッドと、監視カメラ本体部を接続して設定値を読み出す方法について説明する。
【００４６】
監視カメラ用本体部３００とカメラヘッド部１００が接続されたことが検知されると（Ｓ９０１）、ＣＰＵ３０１はカメラヘッド部１００に電源を供給する（Ｓ９０２）。電源が供給されたカメラヘッド部１００は、監視カメラ本体部３００に対応する通信設定を行う（Ｓ９０３）。ＣＰＵ３０１はデジタルカメラ機能ＩＣ１０４に本体情報を送信する（Ｓ９０４）。本体情報を受け取ったカメラヘッド部１００は、まずプログラムメモリ１０６に保存されている露出、ホワイトバランス，ＩＳＯ感度などの情報を読み込み（Ｓ９０５）、ユーザー設定を実行する（Ｓ９０６）、その後、デジタルカメラ機能ＩＣ１０４は本体情報に基づき出力フォーマットの変更を行う。
【００４７】
以上説明したように、上記各実施形態によれば、カメラヘッド自身にユーザーが行った露出、ホワイトバランス，ＩＳＯ感度などのカメラヘッドに関する設定をカメラヘッド自身で保持できるため、着脱しても初期設定を行う必要も無く、そのままユーザーが記憶させたモードで撮影することができるだけでなく、ユーザーが個別にカメラヘッドの設定を行い、用途によってカメラヘッドを使い分けるといったことが可能となる。また、今回のカメラヘッドの設定保存方法は、カメラヘッドと本体が一対となる必要性が無く、カメラヘッドに繋がる本体が多機種存在した場合でも設定を読み出すことが可能である。
【図面の簡単な説明】
【００４８】
【図１】本実施形態のヘッド分離型撮像装置を実施するためのカメラヘッドの構成を示すブロック図である。
【図２】本実施の形態１に係る画像処理システムの構成を示すブロック図である。
【図３】本実施の形態２に係る画像処理システムの構成を示すブロック図である。
【図４】従来のデジタルカメラ装置の構成を示すブロック図である。
【図５】本実施の形態１に係る画像処理システムの流れを示すフローチャートである。
【図６】本実施の形態１に係る画像処理システムの流れを示すフローチャートである。
【図７】本実施の形態２に係る画像処理システムの流れを示すフローチャートである。
【図８】本実施の形態２に係る画像処理システムの流れを示すフローチャートである。
【図９】本実施の形態３に係る画像処理システムの流れを示すフローチャートである。
【符号の説明】
【００４９】
１００  カメラヘッド部
１０１  レンズ群
１０３  ＣＣＤコントロール部
１０４  デジタルカメラ機能ＩＣ
１０５  ワークメモリ
１０６  プログラムメモリ
１０７  コネクタ
１０８  ファインダ出力専用バス
１０９  カメラ側ファイル転送専用バス
１１０  カメラヘッド情報送信専用バス
１１２  リリーススイッチ
２００  デジタルカメラ本体部
【図１】
2005236773.tif 000003
【図２】
2005236773.tif 000004
【図３】
2005236773.tif 000005
【図４】
2005236773.tif 000006
【図５】
2005236773.tif 000007
【図６】
2005236773.tif 000008
【図７】
2005236773.tif 000009
【図８】
2005236773.tif 000010
【図９】
2005236773.tif 000011